【手続補正書】
【提出日】平成17年6月24日(2005.6.24)
【手続補正１】
【補正対象書類名】明細書
【補正対象項目名】発明の名称
【補正方法】変更
【補正の内容】
【発明の名称】拡張装置
【手続補正２】
【補正対象書類名】明細書
【補正対象項目名】特許請求の範囲
【補正方法】変更
【補正の内容】
【特許請求の範囲】
【請求項１】
底壁を有する筐体と、この筐体に収容された発熱する回路部品とを含む電子機器に接続して使用する拡張装置であって、
上記電子機器の筐体が取り外し可能に載置される載置部を有するベースと、
上記ベースの内部に収容され、上記筐体の底壁に向けて冷却用空気を送風するファンユニットと、
上記ベースの載置部に設けられ、上記載置部と上記筐体の底壁との間の隙間から空気を吸引する吸込口と、を具備したことを特徴とする拡張装置。
【請求項２】
請求項１の記載において、上記ベースの載置部は、上記ファンユニットから送られる冷却用空気が吹き出す排気口を有し、この排気口は上記筐体の底壁と向かい合うことを特徴とする拡張装置。
【請求項３】
請求項２の記載において、上記ベースの載置部は、上記排気口に連なる溝状の排気通路と、上記筐体の底壁に接することで上記排気口および上記排気通路を上記隙間から隔てる遮断手段と、を備えていることを特徴とする拡張装置。
【請求項４】
請求項２の記載において、上記排気口は、上記載置部に上記電子機器を載置した時に、上記回路部品の下方に位置することを特徴とする拡張装置。
【請求項５】
第１の連通口が開口された底壁を有する筐体と、この筐体内に収容された発熱する回路部品とを含む電子機器に接続して使用する拡張装置であって、
上記電子機器の筐体が取り外し可能に載置される載置部を有するベースと、
上記ベースの内部に収容され、上記筐体の底壁に向けて冷却用空気を送風するファンユニットと、
上記ベースの載置部に設けられ、上記ベース内に開口するとともに上記筐体の第１の連通口に接続される第２の連通口と、を具備したことを特徴とする拡張装置。
【請求項６】
請求項５の記載において、上記ベースの載置部は、上記ファンユニットから送られる冷却用空気が吹き出す開口部を有し、この開口部は上記筐体の底壁と向かい合うことを特徴とする拡張装置。
【請求項７】
請求項６の記載において、上記開口部は、上記載置部に上記電子機器を載置した時に、上記回路部品に対応するように上記筐体の底壁に形成された導入口と向かい合うことを特徴とする拡張装置。
【請求項８】
請求項５の記載において、上記ベースの載置部は、上記電子機器を上記載置部に載置した時に、上記筐体の底壁に接触して上記第１および第２の連通口を気密に接続する手段を備えていることを特徴とする拡張装置。
【手続補正３】
【補正対象書類名】明細書
【補正対象項目名】０００１
【補正方法】変更
【補正の内容】
【０００１】
【発明の属する技術分野】
本発明は、ポータブルコンピュータのような携帯が可能な電子機器に接続して使用する拡張装置に関する。
【手続補正４】
【補正対象書類名】明細書
【補正対象項目名】００１２
【補正方法】変更
【補正の内容】
【００１２】
本発明は、このような事情にもとづいてなされたもので、載置部に載置された電子機器を効率良く冷却することができ、しかも、塵埃の吸い込みを極力少なく抑えて、トラブルを未然に防止できる拡張装置の提供を目的とする。
【手続補正５】
【補正対象書類名】明細書
【補正対象項目名】００１３
【補正方法】変更
【補正の内容】
【００１３】
【課題を解決するための手段】
上記目的を達成するため、本発明の一つの形態に係る拡張装置は、
底壁を有する筐体と、この筐体に収容された発熱する回路部品とを含む電子機器に接続して使用する拡張装置であって、
上記電子機器の筐体が取り外し可能に載置される載置部を有するベースと、
上記ベースの内部に収容され、上記筐体の底壁に向けて冷却用空気を送風するファンユニットと、
上記ベースの載置部に設けられ、上記載置部と上記筐体の底壁との間の隙間から空気を吸引する吸込口と、を具備したことを特徴としている。
【手続補正６】
【補正対象書類名】明細書
【補正対象項目名】００１４
【補正方法】変更
【補正の内容】
【００１４】
このような構成によれば、ベースの載置部に電子機器の筐体を載置した状態において、ベースの内部のファンユニットが駆動されると、ベース内の空気が吸引される。この空気は、冷却用空気となって載置部に載置された筐体の底壁に吹き付けられる。このため、回路部品の熱影響を受ける筐体の底壁が、空気を媒体とする強制対流により集中的に冷却され、回路部品の熱が筐体の外方に放出される。
【手続補正７】
【補正対象書類名】明細書
【補正対象項目名】００１６
【補正方法】変更
【補正の内容】
【００１６】
この結果、吸込口に吸い込まれる空気を利用して筐体の底壁を冷却することができ、この底壁に冷却用空気が吹き付けられることと合わせて、筐体の底壁を広範囲に亘って万遍なく冷却することができる。
【手続補正８】
【補正対象書類名】明細書
【補正対象項目名】００１８
【補正方法】変更
【補正の内容】
【００１８】
上記目的を達成するため、本発明の他の形態に係る拡張装置は、
第１の連通口が開口された底壁を有する筐体と、この筐体内に収容された発熱する回路部品とを含む電子機器に接続して使用する拡張装置であって、
上記電子機器の筐体が取り外し可能に載置される載置部を有するベースと、
上記ベースの内部に収容され、上記筐体の底壁に向けて冷却用空気を送風するファンユニットと、
上記ベースの載置部に設けられ、上記ベース内に開口するとともに上記筐体の第１の連通口に接続される第２の連通口と、を具備したことを特徴としている。
【手続補正９】
【補正対象書類名】明細書
【補正対象項目名】００１９
【補正方法】変更
【補正の内容】
【００１９】
このような構成によれば、ベースの載置部に電子機器の筐体を載置した状態において、ベースの内部のファンユニットが駆動されると、ベース内の空気が吸引される。この空気は、冷却用空気となって載置部に載置された筐体の底壁に吹き付けられる。このため、回路部品の熱影響を受ける筐体の底壁が、空気を媒体とする強制対流により集中的に冷却され、回路部品の熱が筐体の外方に放出される。
【手続補正１０】
【補正対象書類名】明細書
【補正対象項目名】００２０
【補正方法】変更
【補正の内容】
【００２０】
上記載置部に筐体を載置した状態では、筐体の第１の連通口とベースの第２の連通口とが互いに接続され、これら第１および第２の連通口を通じて筐体の内部とベースの内部とが連通状態に保たれる。そのため、ファンユニットの駆動に伴いベース内の空気が吸引されると、第１および第２の連通口に負圧が作用し、筐体の内部の空気が第１および第２の連通口を通じてベース内に吸い込まれる。この結果、筐体の内部に第１の連通口に向う空気流が形成され、この筐体の内部の通気性が高められるとともに、上記空気流により発熱する回路部品が直接冷却される。
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】０１１４
【補正方法】変更
【補正の内容】
【０１１４】
この際、筐体５内の空気は、第１の連通口９０からベース３５に向けて吸引されているので、導入口１２０にも負圧が作用することになり、この導入口１２０に吹き込まれる冷却用空気が筐体５内に流入し易くなる。そのため、筐体５内の通気性が向上するとともに、発熱するＭＰＵ１７の周囲により効率良く冷却用空気を導くことができる。
【手続補正２５】
【補正対象書類名】明細書
【補正対象項目名】０１１７
【補正方法】変更
【補正の内容】
【０１１７】
【発明の効果】
以上詳述した本発明によれば、載置部に載置された電子機器をベース内に吸い込まれる空気を利用して効率良く冷却できるとともに、ベース内への塵埃の吸い込みを極力少なく抑えて、拡張装置の故障やトラブルを未然に防止することができる。
【手続補正２６】
【補正対象書類名】明細書
【補正対象項目名】０１１８
【補正方法】削除
【補正の内容】
【手続補正２７】
【補正対象書類名】明細書
【補正対象項目名】０１１９
【補正方法】削除
【補正の内容】
【手続補正２８】
【補正対象書類名】明細書
【補正対象項目名】０１２０
【補正方法】削除
【補正の内容】
【手続補正２９】
【補正対象書類名】明細書
【補正対象項目名】０１２１
【補正方法】削除
【補正の内容】
【手続補正３０】
【補正対象書類名】明細書
【補正対象項目名】０１２２
【補正方法】削除
【補正の内容】
【手続補正３１】
【補正対象書類名】明細書
【補正対象項目名】０１２３
【補正方法】削除
【補正の内容】
【手続補正３２】
【補正対象書類名】明細書
【補正対象項目名】符号の説明
【補正方法】変更
【補正の内容】
【符号の説明】
１…電子機器（ポータブルコンピュータ）、２…拡張装置、５…筐体、５ａ…底壁、１７…回路部品（ＣＰＵ）、３５…ベース、３６…載置部、３８…隙間、６３…吸込口、６５…ファンユニット、９０…第１の連通口、９３…第２の連通口。